(57)【要約】【課題】血圧計用カフを使用して血圧を測定する際に、送気チューブが潰れず、安定して血圧を測定できる血圧計用カフを提供する。【解決手段】空気袋に空気を送るための送気チューブと、送気チューブと空気袋とを接続するチューブ取り付け筒部とを有し、送気チューブの先端にチューブ取り付け筒部を中心に送気チューブが回動可能な回動自在部を有する。そして、回動自在部が送気チューブの周方向に設けた溝であることがより好ましい。または、空気袋に空気を送るための送気チューブと、送気チューブと空気袋とを接続するチューブ取り付け筒部とを有し、チューブ取り付け筒部にチューブ取り付け筒部を中心に送気チューブが回動可能な回動自在部を有する。【選択図】図1
2009066199.tif 000002
【特許請求の範囲】
【請求項１】
空気袋に空気を送るための送気チューブと、該送気チューブと前記空気袋とを接続するチューブ取り付け筒部とを有し、前記送気チューブの先端に前記チューブ取り付け筒部を中心に前記送気チューブが回動可能な回動自在部を有する血圧計用カフ。
【請求項２】
前記回動自在部が前記送気チューブの周方向に設けた溝であることを特徴とする請求項1に記載の血圧計用カフ。
【請求項３】
空気袋に空気を送るための送気チューブと、該送気チューブと前記空気袋とを接続するチューブ取り付け筒部とを有し、該チューブ取り付け筒部に前記チューブ取り付け筒部を中心に前記送気チューブが回動可能な回動自在部を有する血圧計用カフ。
【請求項４】
前記回動自在部が前記チューブ取り付け筒部の周方向に設けた溝であることを特徴とする請求項3に記載の血圧計用カフ。
【発明の詳細な説明】
【技術分野】
【０００１】
本発明は血圧計用カフに関するものであり、特に上腕式の血圧計用カフに関する。
【背景技術】
【０００２】
例えば、従来の上腕式の血圧計用カフとしては、図5や図6に示すものが挙げられる。図5は、従来の上腕式の血圧計用カフ30を示す斜視図である。図6は従来の上腕式の血圧計用カフ30を示す断面図である。血圧計用カフ30は外側布3と内側布4との間に空気袋1を内装し、チューブ取り付け筒部5を介して空気袋1を送気チューブ7に接続してなる筒状のものである。この筒形状は外側布3と空気袋1との間に配備したカーラー2により保持されている。チューブ取り付け筒部5と送気チューブ7は血圧計用カフ30の外側布3の軸方向の幅に対して略中央に設けられている。
【０００３】
上腕式の血圧計用カフ30の使用に際しては、右手あるいは左手を血圧計用カフ30の内孔(内側布4が形成する孔)に挿通し、上腕に装着したあと、外側布3の余剰部分を内方向へ引っ張り、面ファスナ(図示せず)で血圧計用カフ30が動かないように固定する。そして、送気チューブ7から空気を空気袋1に送り、上腕の動脈を圧迫して血圧を測定する。
【０００４】
このような従来の血圧計においては、本体部側から血圧計用カフ30の空気袋1へ1本の送気チューブ7により送気を行い、また空気袋1からの排気を上記送気チューブ7により行っている。この送気チューブ7が何らかの理由で折り曲げられた場合、折れた部分において閉塞が生じる恐れがある。
【０００５】
上記閉塞が生じた場合、血圧の測定が出来ないばかりではなく、閉塞を解除することができない場合には空気袋1に空気が溜まったままとなるので、血圧計用カフ30により腕が圧迫されてうっ血などが生じる可能性がある。
【０００６】
この問題を解決するために、特許文献1では図7に示すような血圧計用カフ40が開示されている。この特許文献1で開示されている血圧計用カフ40では、送気チューブ7内にその送気チューブ7内の流通断面積よりも小さい断面積を有する可撓性棒状部材9を挿入したことにより、血圧測定中に送気チューブ7が折り曲げられ難くなるとともに、たとえ折り曲げられても空気の流通が確保されるカフが提案されている。
【０００７】
また、この問題を解決する別な方法としては、特許文献2で開示されている図8に示す血圧計用カフ50がある。この特許文献2で開示されている血圧計用カフ50は、図8に示す血圧計用カフ50と送気チューブ7との間に接続管10を着脱可能に設けている。このような構成にすることで、左右どちらに血圧計用カフ50を巻いても送気チューブ7の突出方向を測定に邪魔にならない方向へ回転移動させることが出来ると提案されている。
【０００８】
【特許文献１】特開2000-51162号公報(6頁、第4図)
【特許文献２】特開平5-317273号公報(5頁、第6図)
【発明の開示】
【発明が解決しようとする課題】
【０００９】
特許文献1に開示されている図7に示す血圧計用カフ40においては、送気チューブ7内に可撓性棒状部材9を設けると、血圧測定中に送気チューブ7が折り曲げられ難くなるとともに、送気チューブ7が折り曲げられても空気の流通は確保される。しかし、送気チューブ7内に可撓性棒状部材9を設けているため、その分送気チューブ7内の流量面積が減少してし
まうために加圧や排気に余分に時間がかかってしまう恐れがある。
【００１０】
特許文献2に開示されている図8に示す血圧計用カフ50においては、送気チューブ7の突出方向を変えるためには接続管10を測定者が自分で取り外して位置決めする必要があるため、操作が煩雑となる。
【課題を解決するための手段】
【００１１】
この課題を解決するために、本発明は以下に示す構成を採用する。
本発明の血圧計用カフは、空気袋に空気を送るための送気チューブと、送気チューブと空気袋とを接続するチューブ取り付け筒部とを有し、送気チューブの先端にチューブ取り付け筒部を中心に送気チューブが回動可能な回動自在部を有することを特徴とする。
【００１２】
さらに、回動自在部が送気チューブの周方向に設けた溝であることが好ましい。
【００１３】
また、本発明の血圧計用カフは、空気袋に空気を送るための送気チューブと、送気チューブと空気袋とを接続するチューブ取り付け筒部とを有し、チューブ取り付け筒部にチューブ取り付け筒部を中心に送気チューブが回動可能な回動自在部を有することを特徴とする。
【００１４】
さらに、回動自在部がチューブ取り付け筒部の周方向に設けた溝であることが好ましい。
【発明の効果】
【００１５】
本発明の血圧計用カフは、外側布と内側布との間に空気袋を内装し、チューブ取り付け筒部を介して空気袋を送気チューブに接続してなる筒状に形成したものである。この円筒形状は、空気袋と外側布との間に配備したカーラーによって保持されている。また、外側布は、空気袋の外側を一回り巻いた後、余剰部分を設けて、その部分を血圧計用カフの余剰端部としている。この外側布の余剰端部を内側方向へと引っ張ることで、血圧計用カフの両端部が接合するようになっている。
【００１６】
本発明の血圧計用カフの特徴は、チューブ取り付け筒部と送気チューブとの接続部において、送気チューブの先端、または、チューブ取り付け筒部においてたとえば周方向に溝を設けて、チューブ取り付け筒部を中心に送気チューブが回動可能な回動自在部を設けた点である。送気チューブの先端、または、チューブ取り付け筒部に回動自在部を設けたことで、血圧計用カフを上腕に装着する際に送気チューブをカフのいずれの方向を手首側に向けても、送気チューブは潰れることなく常に手首側を向くので、血圧計用カフを上腕に装着する際にいずれの方向を手首側に向けても血圧を測定することが出来る。
【００１７】
また、チューブ取り付け筒部と送気チューブとの接続部において、送気チューブの先端、または、チューブ取り付け筒部において、周方向に溝を設けて、チューブ取り付け筒部を中心に送気チューブが回動可能な回動自在部を設けたことで、左右どちらの腕に血圧計用カフを巻いても血圧計用カフの外側布の余剰端部を引っ張りを操作する手の側にくるように身につけることが出来るので、血圧計用カフの装着が簡便となる。更に、送気チューブの先端、または、チューブ取り付け筒部に送気チューブが回動可能な回動自在部を設けたことで、血圧計用カフを収納しやすくなる。
【発明を実施するための最良の形態】
【００１８】
（第一の実施形態）
図1は本発明の血圧計用カフの第一の実施形態を示す斜視図である。図2は本発明の血圧計用カフの第一の実施形態を示す断面図である。本発明の血圧計用カフ20を上腕に装着す
る際に、血圧計用カフ20をAとBのどちらを手首側に向けて上腕に装着しても、送気チューブ7の先端の周方向に溝を設けて、チューブ取り付け筒部を中心に送気チューブ7が回動可能な回動自在部6を設けた。このような構成にすることで、血圧計用カフ20をAとBのどちらを手首側に向けて装着しても、送気チューブ7が潰れることはないので、安定して血圧を測定することが出来る。
【００１９】
従来の血圧計用カフ30の場合、血圧計用カフ30の内孔(内側布が形成する孔)への挿通において、右腕の挿通方向と同一の方向から挿通すると外側布3の余剰端部が操作する手とは反対側に位置することになり、上腕へのカフ30の締め付け作業が困難となる。しかし、本発明の血圧計用カフ20では、送気チューブ7の先端に周方向に溝を設けて、チューブ取り付け筒部を中心に送気チューブ7が回動可能な回動自在部6を設けているため、左右どちらの腕に血圧計用カフ20を装着しても血圧計用カフ20の外側布3の余剰端部を引っ張り操作する手の側にくるように身につけることが出来るので、血圧計用カフ20の装着が簡便になる。
【００２０】
また、送気チューブ7の先端において、周方向に溝を設けて、送気チューブ7が回動可能な回動自在部6を設けたことで、送気チューブ7を血圧計用カフ20の周囲方向への巻き取り操作が簡便となり、使用後に血圧計用カフ20を収納しやすくなる。
【００２１】
（第二の実施形態）
図3は本発明の血圧計用カフ20の第二の実施形態を示す斜視図である。図4は本発明の血圧計用カフ20の第二の実施形態を示す断面図である。図1と図2に示す実施形態とは異なり、チューブ取り付け筒部5に周方向に溝を設けることで、送気チューブ7がチューブ取り付け筒部を中心に回動可能な回動自在部6を設けた。チューブ取り付け筒部5に回動自在部6を設けることにより、回動自在部6をよりチューブ取り付け筒部5の根元に近い部分に設けることが出来るので、送気チューブ7がより潰れにくくなる。
【００２２】
本発明の血圧計用カフ20では、チューブ取り付け筒部5の周方向に溝を設けて、チューブ取り付け筒部5を中心に送気チューブ7が回動可能な回動自在部6を設けているため、左右どちらの腕に血圧計用カフ20を装着しても血圧計用カフ20の外側布3の余剰端部を引っ張り操作する手の側にくるように身につけることが出来るので、実施形態1の場合と同様に血圧計用カフ20の装着が簡便になる。
【００２３】
また、チューブ取り付け筒部5において、周方向に溝を設けて、送気チューブ7がチューブ取り付け筒部5を中心に回動可能な回動自在部6を設けたことで、送気チューブ7を血圧計用カフ20の周囲方向への巻き取り操作が簡便となり、実施形態1の場合と同様に使用後に血圧計用カフ20を収納しやすくなる。
【図面の簡単な説明】
【００２４】
【図１】本発明の血圧計用カフの第一の実施形態を示す斜視図である。
【図２】本発明の血圧計用カフの第一の実施形態を示す断面図である。
【図３】本発明の血圧計用カフの第二の実施形態を示す斜視図である。
【図４】本発明の血圧計用カフの第二の実施形態を示す断面図である。
【図５】従来の血圧計用カフの構造を示す斜視図である。
【図６】従来の血圧計用カフの構造を示す断面図である。
【図７】従来の血圧計用カフの構造を示す断面図である。
【図８】従来の血圧計用カフの構造を示す断面図である。
【符号の説明】
【００２５】
1  空気袋
2  カーラー
3  外側布
4  内側布
5  チューブ取り付け筒部
6  回動自在部
7  送気チューブ
8  コネクタ
9  可撓性棒状部材
10 接続管
20 血圧計用カフ
30 血圧計用カフ
40 血圧計用カフ
【図１】
2009066199.tif 000003
【図２】
2009066199.tif 000004
【図３】
2009066199.tif 000005
【図４】
2009066199.tif 000006
【図５】
2009066199.tif 000007
【図６】
2009066199.tif 000008
【図７】
2009066199.tif 000009
【図８】
2009066199.tif 000010